(57)【要約】【課題】装置本体の小型化を図れるとともに内部部品の交換や増設を容易に行うことができるサーバを提供する。【解決手段】サーバ１は、専用のソケットを介してＣＰＵ１５及びメインメモリ１４が下面に着脱自在に装着されたプロセッサボード１２と、プロセッサボード１２の上面と対向して配置される拡張ボード２５の拡張用コネクタ２１及びＩ／Ｏポート群２２が搭載され、且つプロセッサボード１２に直交するようにして装着されたライザボード２０と、これらのボードをその基板上の電子部品とともに収容するケーシング８と、プロセッサボード１２の各面と各々対向するケーシング８の上面及び底面を開閉するトップパネル１６及びボトムパネル１７とを備える。【選択図】図２
2005190297.tif 000002
【特許請求の範囲】
【請求項１】
第１の電子部品が一方の面に着脱自在に装着された第１の制御基板と、
前記第１の制御基板に直交するようにして装着された制御用基板であって、前記第１の制御基板の他方の面と対向配置可能な拡張基板の装着用コネクタを含む第２の電子部品が搭載された第２の制御基板と、
前記第１及び第２の制御基板をこれら基板上の前記各電子部品とともに収容する筐体と、
前記筐体内の前記第１の制御基板の各面と各々対向する該筐体上の部位を開閉する開閉蓋と
を具備することを特徴とするサーバ。
【請求項２】
前記第１の電子部品が、中央演算処理装置又は主記憶装置を含むことを特徴とする請求項１記載のサーバ。
【請求項３】
前記第２の電子部品が、デバイス制御のためのデータを入出力する入出力端子をさらに含むことを特徴とする請求項１又は２記載のサーバ。
【請求項４】
前記開閉蓋が、
前記第１又は第２の電子部品の搭載部位を開閉する外蓋と、
前記第１又は第２の制御基板に搭載された取り扱いを規制すべき第３の電子部品の搭載部位を開閉する内蓋と
を備えることを特徴とする請求項１記載のサーバ。
【請求項５】
一方の面に少なくとも中央演算処理装置又は主記憶装置が着脱自在に装着された第１の制御基板と、
前記第１の制御基板に直交するようにして装着された制御用基板であって、前記第１の制御基板の他方の面と対向配置可能な拡張基板の装着用コネクタとデバイス制御のためのデータを入出力する入出力端子とが少なくとも搭載された第２の制御基板と、
前記第１及び第２の制御基板をこれら基板上の前記各電子部品とともに収容する筐体と、
前記筐体内の前記第１の制御基板の各面と各々対向する該筐体上の部位を開閉する開閉蓋と
を具備することを特徴とする情報処理装置。
【請求項６】
第１の電子部品が一方の面に着脱自在に装着された第１の制御基板と、前記第１の制御基板の他方の面と対向配置可能な拡張基板の装着用コネクタを含む第２の電子部品が搭載され、前記第１の制御基板に直交するようにして装着された第２の制御基板とが、これら基板上の前記各電子部品とともに収容されるケーシング本体と、
前記ケーシング本体内の前記第１の制御基板の各面と各々対向する該ケーシング本体上の部位を開閉する開閉蓋と
を具備することを特徴とする筐体。
【発明の詳細な説明】
【技術分野】
【０００１】
本発明は、ネットワークに接続して用いられるサーバ、各種情報を処理する情報処理装置、及びこれらサーバや情報処理装置の外装ケースとして用いられる筐体に関する。
【背景技術】
【０００２】
近年、情報処理装置として広く利用される例えばパーソナルコンピュータは、一般に、メインメモリ、ＣＰＵ（Central Processing Unit）、又はハードディスク等の増設やこれらの部品交換をユーザレベルで行える構造を有している。例えば、ノートブック型コンピュータの筐体の底部に、拡張用メモリカードの装着部を備えるメモリ増設機構等もその一例である（例えば、特許文献１参照）。
【特許文献１】特開平１０−１２４１７２号公報
【発明の開示】
【発明が解決しようとする課題】
【０００３】
ここで、上述したような汎用のコンピュータに加え、例えば業務用のサーバ等にも、無論、機能拡張用の構造が設けられている。つまり、このような業務用サーバも、汎用のコンピュータ等と同様に、部品交換や増設の際の作業性の簡易化や、また同時に端末本体の小型化等が求められている。
【０００４】
そこで本発明は、このような課題を解決するためになされたもので、装置本体の小型化を図れるとともに内部部品の交換や増設を容易に行うことができるサーバ、情報処理装置及び筐体の提供を目的とする。
【課題を解決するための手段】
【０００５】
上記目的を達成するために、本発明は、第１の電子部品が一方の面に着脱自在に装着された第１の制御基板と、前記第１の制御基板に直交するようにして装着された制御用基板であって、前記第１の制御基板の他方の面と対向配置可能な拡張基板の装着用コネクタを含む第２の電子部品が搭載された第２の制御基板と、前記第１及び第２の制御基板をこれら基板上の前記各電子部品とともに収容する筐体と、前記筐体内の前記第１の制御基板の各面と各々対向する該筐体上の部位を開閉する開閉蓋とを具備する例えばサーバである。
【０００６】
本発明では、装置本体の主要部品を搭載するメインの制御基板を、第１及び第２の制御基板からなる２ピースに分けた構造とし、筐体内において第２の制御基板が直交するように装着された第１の制御基板を隔てて、当該第１の制御基板の一方の面側に、中央演算処理装置や主記憶装置等の第１の電子部品を、他方の面側に、第２の制御基板を介して拡張基板等を配置可能にするものである。これにより、筐体内部の空間を有効に利用することができ、装置本体の小型化を図ることができる。さらに、本発明では、第１の制御基板の各面と各々対向する筐体の一部を開閉蓋を通じて外部に対して開放できるので、筐体内の第１、第２の電子部品や拡張基板等に対して、第１の制御基板の両面側からアクセスする（部品の着脱操作を行う）ことができ、これにより内部部品の増設や交換を簡単に行うことができる。
【０００７】
ここで、デバイス制御のためのデータを入出力する入出力端子を第２の電子部品として、第２の制御基板上に搭載させること等も可能である。この場合、第２の制御基板上のいずれかの端縁（基板の一辺を形成するエッジ部）に入出力端子が配置され、さらにこの入出力端子を外部に露出させる開口部を筐体に設けること等が例示される。このように、第１の制御基板と第２の制御基板とに分けた部品レイアウトを適用することで、上述したように筐体内の空間が効率良く利用され、装置の小型化に寄与できる。また、これにより、部品レイアウトにおける設計的自由度が広がることから、増設や部品交換を行う上での作業空間等も筐体内に十分に確保でき、部品増設の際等の作業性を向上させることができる。
【０００８】
また、本発明においては、前記開閉蓋が、前記第１又は第２の電子部品の搭載部位を開閉する外蓋と、前記第１又は第２の制御基板に搭載された取り扱いを規制すべき第３の電子部品の搭載部位を開閉する内蓋とで構成される二重構造のものであってもよい。この場合の第３の電子部品としては、ある程度の技術的知識が必要であるとともに操作の頻度が比較的少ない例えばＣＰＵの動作クロック等を設定するための、いわゆるディップスイッチやジャンパスイッチ等が例示される。
【発明の効果】
【０００９】
このように、本発明によれば、装置本体の小型化を図れるとともに内部部品の交換や増設を容易に行うことができるサーバ、情報処理装置及び筐体を提供することができる。
【発明を実施するための最良の形態】
【００１０】
以下、本発明を実施するための最良の形態を図面に基づき説明する。
図１は、本発明の実施形態に係るサーバを上面及び前面側からみた斜視図、図２は、このサーバからトップパネル及びボトムパネルを取り外した状態を底面及び背面側からみた分解斜視図、図３は、このサーバのケーシングからボトムパネル及び保護パネルを外した状態を底面及び背面側からみた分解斜視図、図４は、このサーバに内蔵されたプロセッサボード、ライザボード及び拡張ボードの構造を概略的に示す分解斜視図である。
【００１１】
これらの図に示すように、このサーバ１は、横置きタイプであるとともに奥行き方向に長く構成されたデスクトップ型の端末装置である。このサーバ１は、電源２と、ハードディスク３やＣＤドライブ５等の外部記憶装置と、プロセッサユニット６と、ライザユニット７と、これらの装置や各種部品類を収容するための外装用の筐体であるケーシング８とから主に構成される。ケーシング８の前面（図中のfront側面）には、モデムカードやＬＡＮ（Local Area Network）カード等の各種ＰＣカードを装着するためのＰＣカードスロット９が用意されている。また、ケーシング８の背面（図中のrear側面）には、ケーシング８の内部を冷却するための複数のファン１０が設けられている。
【００１２】
プロセッサユニット６は、図１及び図２に示すように、第１の制御基板としての両面実装タイプのプロセッサボード１２と、このプロセッサボード１２上に搭載された第１の電子部品としてのＣＰＵ１５及びメインメモリ１４とを備えている。プロセッサボード１２は、水平に寝かせたかたちで、ケーシング８内の中央部分に配置され、スタッドやリベット等を介してケーシング８に固定されている。ここで、ケーシング８には、図２及び図３に示すように、内部に収容されたプロセッサボード１２の各面（上面［図中のtop側面］及び下面［図中のbottom側面］）と各々対向する当該ケーシング上の部位を開閉する開閉蓋が、トップパネル１６及びボトムパネル１７として設けられている。このトップパネル１６及びボトムパネル１７の端縁には、例えばスライド用突起が各々設けられており、一方、ケーシング８の本体部分の上側及び下側の縁部には、上記スライド用突起を係合させた状態で、トップパネル１６及びボトムパネル１７をスライドさせつつ装着することが可能な例えばスライド溝が設けられている。これにより、トップパネル１６及びボトムパネル１７は、例えばドライバ等の工具を用いることなく、ケーシング８の本体部分の上部及び底部に着脱自在に装着される。
【００１３】
ＣＰＵ１５及びメインメモリ１４は、図２に示すように、それぞれ専用のメモリソケット１４ａ又はＣＰＵソケット（図示せず）を介して、プロセッサボード１２の下面（ケーシング８の底部側方向の基板面）に着脱自在に装着されている。また、プロセッサユニット６には、プロセッサボード１２上に実装されたノースブリッジ１８やサウスブリッジ１９等からなる、いわゆるチップセットが設けられている。なお、本実施形態では、プロセッサボード１２の上面（ケーシング８の上部方向の基板面）に、ノースブリッジ１８及びサウスブリッジ１９が実装されている例を示しているが、これらがプロセッサボード１２の下面に実装されるものであってもよい。
【００１４】
ライザユニット７は、第２の制御基板であるライザボード２０と、このライザボード２０上に搭載された第２の電子部品としての複数の拡張用コネクタ２１及びＩ／Ｏ（Input/Output）ポート群２２とを備えている。ライザボード２０は、プロセッサボード１２に対して直交するように垂直方向に起立した姿勢で配置されている。詳細には、ライザボード２０は、図４にも示すように、自身の一方の面（左側［図中のright側方向と相反する方向］の面）の中央からケーシング８の奥行き方向に延びるようにして設けられたコネクタ２３が、プロセッサボード１２の右側の端縁（基板のエッジ部）に設けられた端子部２４と装着されている。これにより、プロセッサボード１２とライザボード２０とは、断面Ｔ字状に配置され、この一方のライザボード２０は、ケーシング８内の右側（図に示すright側）方向に寄せられたかたちで固定されている。
【００１５】
また、上記Ｉ／Ｏポート群２２は、各種デバイスを制御するためのデータを入出力するインタフェースであって、図２に示すように、ライザボード２０のリア側の端縁（基板のエッジ部）に配置されている。すなわち、Ｉ／Ｏポート群２２は、ケーシング８のリア側から各端子部を外部に露出させるかたちで、当該ケーシング８の背面に固定されている。Ｉ／Ｏポート群２２としては、例えばシリアルポート、パラレルポート、ＰＳ２ポート、ＶＧＡ（Video Graphics Array）ポート、ＵＳＢ（Universal Serial Bus）ポート等が例示される。
【００１６】
また、上記複数の拡張用コネクタ２１は、例えばＰＣＩ（Peripheral Component Interconnect）用のインタフェースであって、図４に示すように、ライザボード２０上におけるプロセッサボード１２の接続用のコネクタ２３が実装された基板面と同一面に並設されるかたちで、各々実装されている。すなわち、この拡張用コネクタ２１には、プロセッサボード１２の上面と対向して配置される例えばＳＣＳＩ（Small Computer System Interface）カード等の拡張ボード２５が端子部３４を介して（２枚）装着されている。なお、上から２番段目の拡張用コネクタ２１に装着された拡張ボード２５については、図４においては、その図示を省略している。この拡張ボード２５のリア側の縁部には、出力端子等を保持する金属プレート部分が設けられており、このプレート部分がケーシング８の背面にねじ止めされている。これにより、プロセッサボード１２とライザボード２０と拡張ボード２５とは、断面コの字状に配置される。
【００１７】
また、この実施形態では、プロセッサボード１２の下面と対向配置可能に上記拡張ボード２５を装着できる部位にも拡張用コネクタ２１ａが設けらているものの、ＣＰＵ１５やメインメモリ１４の増設や部品交換の際等の作業性が考慮され、プロセッサボード１２の下面と対向する位置へは拡張ボード２５が未装着になっている。さらに、拡張ボード２５として適用されるＰＣＩカードは、サーバ本体の小型化が考慮され、ケーシング８の背面にねじ止めされる上記金属プレート部分が短い、いわゆるハーフ型のＰＣＩカードが採用されている。ここで、このような拡張ボード２５は、例えば上述したＩ／Ｏポートを搭載する拡張基板であってもよい。
【００１８】
次に、このようなサーバ１の部品レイアウトについてさらに詳述する。
すなわち、図１及び図２に示すように、ハードディスク３やＣＤドライブ５等の外部記憶装置及びＰＣカードスロット９等は、ケーシング８内のフロント側に寄せられて配置されている。また、これらのドライブ装置やＰＣカードスロット９をケーシング８内の奥行き方向で避けるように、プロセッサユニット６、ライザユニット７、及びライザユニット７に装着される拡張ボード２５が、ケーシング８内のリア側に寄せて配置されている。電源２は、ケーシング８の背面に自身の電源ファン（図示せず）等を露出させるようにして固定されている。詳細には、電源２は、プロセッサボード１２の上面側に配置され、さらに拡張ボード２５をケーシング８内の幅方向で避けるようにしてケーシング８内の左側部に寄せたかたちで配置されている。さらに、上述したように、プロセッサボード１２の底部側にはＣＰＵ１５及びメインメモリ１４が配置されている。
【００１９】
したがって、本実施形態のケーシング８を備えるサーバ１では、装置本体の主要部品を搭載するメインの制御基板を、プロセッサボード１２とライザボード２０との２ピースに分けたかたちの部品構成とし、ケーシング８内においてライザボード２０を直交させて装着したプロセッサボード１２を隔てて、上部側に、電源２及び拡張ボード２５を、底部側に、ＣＰＵ１５及びメインメモリ１４をそれぞれ配置するものである。これにより、サーバ１によれば、ケーシング８内の空間を効率良く利用でき、装置本体の小型化を図ることができる。また、サーバ１によれば、プロセッサボード１２の底面と、ケーシング８の下方の内壁面（ケーシング下方の左右及び底部の内側面）とで、ファン１０によるＣＰＵ１５の冷却のためのエアの送風路が実質的に構成されるので、特別にダクト構造を設けることなく、ＣＰＵ１５に冷却作用を付与することができる。これにより、サーバ１の例えば製造コストの低減を図ることができる。
【００２０】
また、本実施形態のサーバ１では、図２及び図３に示すように、ケーシング８からトップパネル１６及びボトムパネル１７を取り外すことで、プロセッサボード１２の各面と各々対向するケーシング８の上部及び底部を、容易に外部に対して開放させることができる。これにより、サーバ１によれば、ケーシング８内の拡張ボード２５、ＣＰＵ１５、メインメモリ１４、ハードディスク３、及びＣＤドライブ５に対して、プロセッサボード１２の両面側からアクセスできる（部品の着脱操作を行える）ので、内部部品の増設や交換を行う際に、その対象外の部品（例えば電源２）を取り外す等といった余分な作業を行うことなしに、増設や部品交換作業を簡単に行うことができる。
【００２１】
ここで、本実施形態のサーバ１では、図３に示すように、ケーシング８から外蓋としてのトップパネル１６及びボトムパネル１７を取り外したその内側にも内蓋としての保護パネル２６がケーシング８の本体に着脱自在に装着されている。換言すれば、ケーシング８は、外側に第１のアクセスホール（部品操作穴）３２を備えるともに、さらにその内側に第２のアクセスホール（部品操作穴）３３を備える二重の入れ子構造を採っている。上記保護パネル２６は、第２のアクセスホール３３を塞ぐための内蓋である。詳細には、この保護パネル２６は、ある程度の技術的知識が必要であり、且つ操作の頻度が比較的少ない例えばＣＰＵの動作クロック等を設定するためのディップスイッチやジャンパスイッチ等を始めとする操作規制部品２７を覆っている。これにより、サーバ１の利用者が、誤った設定操作を行こと等を抑制することができる。
【００２２】
以上、本発明を実施の形態により具体的に説明したが、本発明はこの実施形態にのみ限定されるものではなく、その要旨を逸脱しない範囲で種々変更可能である。例えば、上述した実施形態では、プロセッサボード１２がライザボード２０に装着されて互いが断面Ｔ字状に配置されるものであったが、これに代えて、図５に示すように、基板上面の右側縁部にコネクタ２８が実装されたプロセッサボード２９と、このプロセッサボード２９に対してほぼ垂直に起立した姿勢で自身の底部端縁に設けられた端子部３０が装着されるライザボード３１とで、断面Ｌ字状にこれらの制御基板を配置してもよい。また、上記実施形態では、プロセッサボード１２が両面実装基板であったが、ＣＰＵ１５及びメインメモリ１４の搭載面にノースブリッジ１８やサウスブリッジ１９を実装するようにした片面実装基板であってもよい。さらに、上記実施形態では、プロセッサボード１２を隔てて、上部側に電源２及び拡張ボード２５を、底部側にＣＰＵ１５及びメインメモリ１４をそれぞれ配置するものであったが、これを上部及び底部にそれぞれ配置されている部品類を上下逆になる配置としてもよい。
【産業上の利用可能性】
【００２３】
本発明は、サーバを含む情報処理装置やその筐体に利用できることは勿論、あらゆる電子機器やその筐体に適用することが可能である。
【図面の簡単な説明】
【００２４】
【図１】本発明の実施形態に係るサーバを上面及び前面側からみた斜視図。
【図２】図１に示すサーバからトップパネル及びボトムパネルを取り外した状態を底面及び背面側からみた分解斜視図。
【図３】図１に示すサーバのケーシングからボトムパネル及び保護パネルを外した状態を底面及び背面側からみた分解斜視図。
【図４】図１に示すサーバに内蔵されたプロセッサボード、ライザボード及び拡張ボードの構造を概略的に示す分解斜視図。
【図５】図４に示す構造と異なる他のプロセッサボード、ライザボードの構造を概略的に示す分解斜視図。
【符号の説明】
【００２５】
１…サーバ、６…プロセッサユニット、７…ライザユニット、８…ケーシング、１２，２９…プロセッサボード、１４…メインメモリ、１５…ＣＰＵ、１６…トップパネル、１７…ボトムパネル、２０，３１…ライザボード、２１，２１ａ…拡張用コネクタ、２２…Ｉ／Ｏポート群、２５…拡張ボード、２６…保護パネル、２７…操作規制部品。
【図１】
2005190297.tif 000003
【図２】
2005190297.tif 000004
【図３】
2005190297.tif 000005
【図４】
2005190297.tif 000006
【図５】
2005190297.tif 000007